(57)【要約】【課題】  頂面を傾斜面とした頂部を有する紙容器を容易に扁平に折り畳むことができるようにした紙容器を得る。【解決手段】  頂部が傾斜面となっている紙容器において、胴部左右側面パネルには、側面パネル１７，１８に形成された三角形Ａと第２頂部横折線１５，１６の中点Ｍを対称中心として点対称の三角形Ｃを形成する第１折り畳み用傾斜折線４０，４１と、内側底面パネル２６，２７に形成された三角形Ｂと第２底部横折線２４，２５を対称軸として線対称の三角形Ｄを形成する第２折り畳み用傾斜折線４２，４３とを設け、胴部パネルには、三角形Ｃの頂点Ｐ３と三角形Ｄの頂点Ｐ４を結ぶ胴部縦折線４４，４５と、三角形Ｃの頂点Ｐ３同士を結んだ第１折り畳み用横折線４６と、三角形Ｄの頂点Ｐ４同士を結んだ第２折り畳み用横折線４７とを設けた。【選択図】図２
2020164182.tif 000002
【特許請求の範囲】
【請求項１】
四角の胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルとを有し、底部を形成するところの前記胴部正面パネル及び前記胴部背面パネルに第１底部横折線を介して連接する一対の外側底面パネルと、前記胴部左右側面パネルに第２底部横折線を介して連接する一対の内側底面パネルを有し、前記頂部を構成する前記一対の側面パネルには前記第２頂部横折線を底辺とし、前記側面パネルの先端の幅方向中央を頂点とする三角形を形成する２本の斜線からなる頂部傾斜折線が設けられ、前記底部を構成する前記一対の内側底面パネルには前記第２底部横折線を底辺とし、前記内側底面パネルの先端近傍の幅方向中央を頂点とする三角形を形成する２本の斜線からなる底部傾斜折線が設けられ、前記頂部は胴部正面パネル側が低く前記胴部背面パネル側が高い傾斜面となっている紙容器において、
前記胴部左右側面パネルには、前記第２頂部横折線を底辺として、前記一対の側面パネルに形成された三角形と前記第２頂部横折線の中点を対称中心として点対称の三角形を形成する２本の斜線からなる第１折り畳み用傾斜折線を設けるとともに、前記第２底部横折線を底辺として、前記一対の内側底面パネルに形成された三角形と前記第２底部横折線を対称軸として線対称の三角形を形成する２本の斜線からなる第２折り畳み用傾斜折線を設け、さらに、前記胴部左右側面パネルには、前記第２頂部横折線を底辺とする三角形の頂点と、前記第２底部横折線を底辺とする三角形の頂点を結ぶ折り畳み用縦折線を設け、また、前記胴部左右側面パネルと前記胴部左右側面パネルの間に連接されている前記胴部正面パネルまたは前記胴部背面パネルには、前記第２頂部横折線を底辺として前記胴部左右側面パネルに形成された三角形の頂点又は頂点の下方近傍同士を結んだ第１折り畳み用横折線を設けるとともに、前記第２底部横折線を底辺として前記胴部左右側面パネルに形成された三角形の頂点又は頂点の上方近傍同士を結んだ第２折り畳み用横折線を設けたことを特徴とする紙容器。
【発明の詳細な説明】
【技術分野】
【０００１】
本発明は、牛乳やジュース等の液体飲料、液体洗剤、ゼリーやクリームなどの粘稠物、果実片等の固形状の食物をミックスした液体飲料などの液状物を収容するフラットトップ型頂部を有する紙容器に関する。
【背景技術】
【０００２】
牛乳やジュース等の液体飲料、液体洗剤、ゼリーやクリームなどの粘稠物、果実片等の固形状の食物をミックスした液体飲料などの液状物を収容する容器として、紙容器が広く使用されている。こうした紙容器は、中身を消費した後に廃棄する際に、なるべく嵩張らないように折り畳んで廃棄することが望まれる。
【０００３】
従来、扁平に折り畳むことができるようにした紙容器として、切妻型又は平面状の頂部を有する角形の液体用紙容器において、容器を形成するための罫線の他に、容器正面の側壁部の左右にある２つの側壁部に、その上端と下端とにある左右の角を結ぶ４つの稜線を底辺とした二等辺三角形状に側壁部の中央に向かって斜めの交差する罫線を２本ずつ設け、さらに、これらの斜めの罫線によって形成された４つの交点を結ぶ、左右の側壁部にそれぞれ１本の縦の罫線と、正面の側壁部又は裏面の側壁部のどちらか一方に跨る横の罫線を２本設けたことを特徴とする液体用紙容器が知られている（例えば特許文献１参照。）。
特許文献１に記載された切妻型又は平面状の頂部を有する角形の液体用紙容器は、いずれも容器の側壁部は矩形となっているので、その上端と下端とにある左右の角を結ぶ稜線を底辺とした二等辺三角形の頂点、即ち側壁部の中央に向かって斜めの交差する２本の罫線の交点は側壁部の中央に位置することになる。
これにより、上端側と下端側の二等辺三角形の頂点（２本の罫線の交点）を結ぶ縦の罫線は、側壁部の幅方向中央に、側壁部の側辺と平行に設けられるので、容器正面の側壁部を押圧することにより、左右にある側壁部が、側壁部に設けられた縦の罫線から山折れし、容器正面の側壁部と容器背面の側壁部が重なり、折り畳みが可能となる。
【先行技術文献】
【特許文献】
【０００４】
【特許文献１】実開平６−７６０２７号公報
【発明の概要】
【発明が解決しようとする課題】
【０００５】
近年、意匠的見地から頂部の頂面を、容器本体の正面側が低く背面側が側が高い傾斜面としたフラットトップ型頂部を有する紙容器が出現している。しかし、このような頂面を傾斜面とした頂部を有する紙容器を折り畳めるようにするために特許文献１に記載された技術を応用しても、特許文献１に記載された液体紙容器のように扁平に折り畳むことができない。
なぜなら、頂面を傾斜面とした頂部を有する紙容器は、容器正面の側壁部の左右にある２つの側壁部の上端ある左右の角を結ぶ稜線が傾斜しているので、この稜線を底辺とした二等辺三角形状に傾斜する罫線を側壁部に設けたとき、この罫線の交点は、側壁部の背面側近傍に位置することになる。
【０００６】
従って、容器正面の側壁部の左右にある２つの側壁部の下端にある左右の角を結ぶ稜線を底辺とした二等辺三角形状に側壁部の中央に向かって傾斜する罫線の交点と、容器正面の側壁部の左右にある２つの側壁部の上端にある左右の角を結ぶ稜線を底辺とした二等辺三角形状に傾斜する罫線の交点とを結ぶ縦の罫線は容器の側壁部間の縦の罫線とは平行にはならない。このため、容器正面の側壁部を押圧し、容器正面の側壁部の左右にある２つの側壁部に設けられた上下２つの交点を結ぶ縦の罫線を折っても、容器正面の側壁部と容器背面の側壁部が重ならず、扁平に折り畳むことができない。
【０００７】
本発明の目的は、廃棄に際して容易に扁平に折り畳むことができる、頂面を傾斜面とした頂部を有する紙容器を提供することにある。
【課題を解決するための手段】
【０００８】
上記の目的を達成するために、請求項１に記載の発明は、四角の胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルとを有し、底部を形成するところの前記胴部正面パネル及び前記胴部背面パネルに第１底部横折線を介して連接する一対の外側底面パネルと、前記胴部左右側面パネルに第２底部横折線を介して連接する一対の内側底面パネルを有し、前記頂部を構成する前記一対の側面パネルには前記第２頂部横折線を底辺とし、前記側面パネルの先端の幅方向中央を頂点とする三角形を形成する２本の斜線からなる頂部傾斜折線が設けられ、前記底部を構成する前記一対の内側底面パネルには前記第２底部横折線を底辺とし、前記内側底面パネルの先端近傍の幅方向中央を頂点とする三角形を形成する２本の斜線からなる底部傾斜折線が設けられ、前記頂部は胴部正面パネル側が低く前記胴部背面パネル側が高い傾斜面となっている紙容器において、前記胴部左右側面パネルには、前記第２頂部横折線を底辺として、前記一対の側面パネルに形成された三角形と前記第２頂部横折線の中点を対称中心として点対称の三角形を形成する２本の斜線からなる第１折り畳み用傾斜折線を設けるとともに、前記第２底部横折線を底辺として、前記一対の内側底面パネルに形成された三角形と前記第２底部横折線を対称軸として線対称の三角形を形成する２本の斜線からなる第２折り畳み用胴部傾斜折線を設け、さらに、前記胴部左右側面パネルには、前記第２頂部横折線を底辺とする三角形の頂点と、前記第２底部横折線を底辺とする三角形の頂点を結ぶ折り畳み用縦折線を設け、また、前記胴部左右側面パネルと前記胴部左右側面パネルの間に連接している前記胴部正面パネルまたは前記胴部背面パネルには、前記第２頂部横折線を底辺として前記胴部左右側面パネルに形成された三角形の頂点又は頂点の下方近傍同士を結んだ第１折り畳み用横折線を設けるとともに、前記第２底部横折線を底辺として前記胴部左右側面パネルに形成された三角形の頂点又は頂点の上方近傍同士を結んだ第２折り畳み用横折線を設けたことを特徴とする。
【０００９】
請求項１に記載の発明によれば、前記胴部左右側面パネルには、前記第２頂部横折線を底辺として、前記一対の側面パネルに形成された三角形と前記第２頂部横折線の中点を対称中心とした点対称の三角形を形成する２本の斜線からなる第１折り畳み用傾斜折線を設けたので、前記第２頂部横折線と第１折り畳み用傾斜折線によって形成される三角形の頂点は、前記第２頂部横折線を底辺として、前記一対の側面パネルに形成された三角形の頂点から垂下した線上、即ち、前記胴部左右側面パネルの横幅方向の中央に位置することになり、前記第２頂部横折線と第１折り畳み用傾斜折線によって形成される三角形の頂点と、前記第２底部横折線と第２折り畳み用傾斜折線によって形成される三角形の頂点とを結ぶ前記胴部左右側面パネルに設けられた前記折り畳み用縦折線は、前記胴部左右側面パネルの幅方向中央で、前記胴部正面パネル、前記胴部左右側面パネル、前記胴部背面パネル間の胴部縦折線と平行となる。
この結果、前記胴部正面パネルを押圧することにより、前記胴部側面パネルは、前記胴部側面パネルに設けられた前記折り畳み用縦折線から山折れし、前記胴部正面パネルと前記胴部背面パネルが無理なく容易に重なる。
この状態から、前記第２頂部横折線を底辺として前記胴部左右側面パネルに形成された三角形の頂点又は頂点の下方近傍同士を結んだ第１折り畳み用横折線を谷折りすることにより、第１折り畳み用傾斜折線が山折れし、前記頂部が重なった状態にある前記胴部正面パネルと前記胴部背面パネルに重なり、そして、前記第２底部横折線を底辺として前記胴部左右側面パネルに形成された三角形の頂点又は頂点の上方近傍同士を結んだ第２折り畳み用横折線を谷折りすることにより、第２折り畳み用傾斜折線が山折れし、前記底部が重なった状態にある前記胴部正面パネルと前記胴部背面パネルに重なるので、全体を扁平に折り畳むことができる。
【発明の効果】
【００１０】
以上のように、本発明に係る紙容器によれば、頂面を傾斜面とした頂部を有する紙容器であっても容易に扁平に折り畳むことができ、廃棄作業を容易に行うことができる。
【図面の簡単な説明】
【００１１】
【図１】本発明に係る紙容器の実施の形態の本例を示す斜視図である。
【図２】図１に示す紙容器を成形するカートンブランクスの展開図である。
【図３】図１に示す紙容器を折り畳んだ状態を示す平面図である。
【発明を実施するための形態】
【００１２】
以下、本発明に係る紙容器の実施の形態の一例を、図面を参照して詳細に説明する。
図１〜図３は本発明に係る紙容器の実施の形態の一例を示すものであり、図１は本例の紙容器の斜視図、図２は図１に示す紙容器を成形するカートンブランクスの展開図、図３は図１に示す紙容器を折り畳んだ状態を示す平面図である。
【００１３】
本例の紙容器は、四角の胴部１と、頂面を傾斜面とした頂部２を有する紙容器であり、図２に示すカートンブランクス３から成形される。
カートンブランクス３は、四角の胴部１形成するところの胴部縦折線４，５，６を介して連接している胴部正面パネル７と胴部左右側面パネル８，９と胴部背面パネル１０とを有し、また、頂部２を形成するところの胴部正面パネル７及び胴部背面パネル１０に第１頂部横折線１１，１２を介して連接する一対の頂面パネル１３，１４と、胴部左右側面パネル８，９に第２頂部横折線１５，１６を介して連接する一対の側面パネル１７，１８とを有し、また、底部１９を形成するところの胴部正面パネル７及び胴部背面パネル１０に第１底部横折線２０，２１を介して連接する一対の外側底面パネル２２，２３と、胴部左右側面パネル８，９に第２底部横折線２４，２５を介して連接する一対の内側底面パネル２６，２７を有している。
【００１４】
頂面パネル１３，１４の先端には外側頂部シールパネル２８，２９が連接され、側面パネル１７，１８の先端には内側頂部シールパネル３０，３１が連接されている。また、外側底面パネル２２，２３の先端及び内側底面パネル２６，２７の先端にはシール部３２，３３，３４，３５が設定されている。
【００１５】
胴部１を形成する胴部正面パネル７と胴部背面パネル１０にあっては、胴部正面パネル７は胴部背面パネル１０よりも底部１９からの高さが低く形成されており、胴部正面パネル７と胴部背面パネル１０の間に連接している胴部左右側面パネル８，９の上端辺となる第２頂部横折線１５，１６は胴部正面パネル７側が下がった傾斜線となっている。
【００１６】
頂部２を構成する一対の側面パネル１７，１８には、第２頂部横折線１５，１６を底辺とし、一対側面パネルの１７，１８の先端の幅方向中央を頂点Ｐ１とする三角形Ａを形成する２本の斜線からなる頂部傾斜折線３６，３７が設けられている。この頂部傾斜折線３６，３７を山折りして一対の側面パネル１７，１８を折り畳み、紙容器１の平坦な頂部２を形成する。頂部傾斜折線３６，３７は、第２頂部横折線１５，１６が胴部正面パネル７側が下がった傾斜線となっているので、第２頂部横折線１５，１６を構成する２本の斜線の内、第２頂部横折線１５，１６の胴部正面パネル７側の端部に接続する斜線が胴部背面側パネル１０側の端部に接続する斜線よりも長くなっており、また、それぞれ傾斜角度が異なっている。
【００１７】
底部１９を構成する一対の内側底面パネル２６，２７には、第２底部横折線２４，２５を底辺とし、一対の内側底面パネルの２６，２７の先端近傍の幅方向中央を頂点Ｐ２とする三角形Ｂを形成する２本の斜線からなる底部傾斜折線３８，３９が設けられている。
ここで、一対の内側底面パネルの２６，２７の先端近傍とは、底部１９を形成するところの胴部正面パネル７及び胴部背面パネル１０に第１底部横折線２０，２１を介して連接する一対の内側底面パネル２６，２７の先端に設定されたシール部３４，３５との境界線を指す。
【００１８】
胴部左右側面パネル８，９には、第２頂部横折線１５，１６を底辺として、一対の側面パネル１７，１８に形成された三角形Ａと第２頂部横折線１５，１６の中点Ｍを対称中心として点対称の三角形Ｃを形成する２本の斜線からなる第１折り畳み用傾斜折線４０，４１が設けられている。即ち、第１折り畳み用傾斜折線４０，４１を構成する２本の斜線の内の胴部正面パネル７側の斜線は、頂部傾斜折線３６，３７を構成する２本の斜線の内の胴部背面パネル１０側の斜線と長さ及び傾斜角度が等しくなり、第１折り畳み用傾斜折線４０，４１を構成する２本の斜線の内の胴部背面パネル１０側の斜線は、頂部傾斜折線３６，３７を構成する２本の斜線の内の胴部正面パネル７側の斜線と長さ及び傾斜角度が等しなっている。これにより、第１折り畳み用傾斜折線４０，４１を構成する２本の斜線の交点であるところの、第２頂部横折線１５，１６を底辺とした三角形Ｃの頂点Ｐ３は、第２頂部横折線１５，１６を底辺とした三角形Ａの頂点Ｐ１から垂下した胴部左右側面パネル８，９の横幅方向の中央の位置となる。
【００１９】
また、胴部左右側面パネル８，９には、第２底部横折線２４，２５を底辺として、一対の内側底面パネル２６，２７に形成された三角形Ｂと第２底部横折線２４，２５を対称軸として線対称の三角形Ｄを形成する２本の斜線からなる第２折り畳み用傾斜折線４２，４３が設けられている。このとき、第２底部横折線２４，２５を底辺とした三角形Ｄの頂点Ｐ４は胴部左右側面パネル８，９の横幅方向の中央の位置となっている。
【００２０】
さらに、胴部左右側面パネル８，９には、第２頂部横折線１５，１６を底辺とする三角形Ｃの頂点Ｐ３と、第２底部横折線２４，２５を底辺とする三角形Ｄの頂点Ｐ４を結ぶ折り畳み用縦折線４４，４５が設けられている。
【００２１】
また、胴部左右側面パネル８，９と、胴部左右側面パネル８，９の間に連接されている胴部正面パネル７には、第２頂部横折線１５，１６を底辺として胴部左右側面パネル８，９に形成された三角形Ｃの頂点Ｐ３同士を結んだ第１折り畳み用横折線４６が設けられており、また、第２底部横折線２４，２５を底辺として胴部左右側面パネル８，９に形成された三角形Ｄの頂点Ｐ４同士を結んだ第２折り畳み用横折線４７が設けられている。
なお、本例では、第１折り畳み用横折線４６と第２折り畳み用横折線４７は胴部正面パネル７を通過するように形成されているが、胴部背面パネル１０を通過するように形成することもできる。
【００２２】
また、本例では、第１折り畳み用横折線４６を頂点Ｐ３同士を結んで形成し、第２折り畳み用横折線４７を頂点Ｐ４同士を結んで形成しているが、第１折り畳み用横折線４６を頂点Ｐ３の下方近傍同士を結んで形成し、第２折り畳み用横折線４７を頂点Ｐ４の上方近傍同士を結んで形成しても、本例と同様の効果を得ることができる。
ここで、近傍とは頂点Ｐ３又はＰ４からカートンブランクスの厚み程度離れた位置のことをいい、例えば、第１折り畳み用横折線４６を、頂点Ｐ３からカートンブランクスの厚さ程度垂下した位置同士を結ぶことにより形成し、第２折り畳み用横折線４６を、頂点Ｐ４からカートンブランクスの厚さ程度垂直方向の上方に離れた位置同士を結ぶことにより形成するといったこともできる。
【００２３】
また、胴部正面パネル７に第１頂部横折線１１を介して連接する頂面パネル１３は口栓４８が接着される面となっており、口栓４８と連通させる開口部４９が形成されている。
【００２４】
このような展開構造を有するカートンブランクス３により、四角の胴部１と、頂面を胴部正面パネル７側が低く胴部背面パネル１０側が高い傾斜面とした頂部２を有する紙容器１が成形される（図１参照。）。
【００２５】
このように構成された紙容器によれば、胴部左右側面パネル８，９には、一対の側面パネル１７，１８に形成された、第２頂部横折線１５，１６を底辺とし側面パネルの１５，１６の先端中央を頂点Ｐ１とする三角形Ａと第２頂部横折線１５，１６の中点Ｍを対称中心として点対称の三角形Ｃを形成する２本の斜線からなる第１折り畳み用傾斜折線４０、４１を設けたので、三角形Ｃの頂点Ｐ３は三角形Ａの頂点Ｐ１から垂下した線上、即ち、胴部左右側面パネル８，９の横幅方向の中央に位置することになる。
【００２６】
従って、第２頂部横折線１５，１６と第１折り畳み用傾斜折線４０，４１によって形成される三角形Ｃの頂点Ｐ３と、底辺となる第２底部横折線２４，２５と第２折り畳み用傾斜折線４２，４３によって形成される三角形Ｄの頂点Ｐ４とを結ぶ胴部左右側面パネル８，９に設けられた折り畳み用縦折線４４，４５は、胴部左右側面パネル８，９の幅方向中央で、胴部正面パネル７、胴部左右側面パネル８，９、胴部背面パネル１０間の胴部縦折線４，５，６と平行となる（図１、図２参照）。
【００２７】
この結果、胴部正面パネル７を押圧することにより、胴部側面パネル８，９に設けられた折り畳み用縦折線４４，４５が山折れし、胴部正面パネル７と胴部背面パネル１０が無理なく容易に重なる。
【００２８】
この状態から、第２頂部横折線１５，１６を底辺として胴部左右側面パネル８，９に形成された三角形Ｃの頂点Ｐ３同士を結んだ第１折り畳み用横折線４６を谷折りすることにより、第１折り畳み用傾斜折線４０，４１が山折れし、頂部２が重なった状態にある胴部正面パネル７と胴部背面パネル１０に重なる。
【００２９】
そして、第２底部横折線２４，２５を底辺として胴部左右側面パネル８，９に形成された三角形Ｄの頂点Ｐ４同士を結んだ第２折り畳み用横折線４７を谷折りすることにより、第２折り畳み用傾斜折線４２，４３が山折れし、底部１９が重なった状態にある胴部正面パネル７と胴部背面パネル１０に重なる。これにより、紙容器全体を扁平に折り畳むことができる（図３参照）。
【符号の説明】
【００３０】
１  胴部
２  頂部
３  カートンブランクス
４，５，６  胴部縦折線
７  胴部正面パネル
８  胴部左側面パネル
９  胴部右側面パネル
１０  胴部背面パネル
１１，１２  第１頂部横折線
１３，１４  頂面パネル
１５，１６  第２頂部横折線
１７，１８  側面パネル
１９  底部
２０，２１  第１底部横折線
２２，２３  外側底面パネル
２４，２５  第２底部横折線
２６，２７  内側底面パネル
２８，２９  外側頂部シールパネル
３０，３１  内側頂部シールパネル
３２，３３，３４，３５  シール部
３６，３７  頂部傾斜折線
３８，３９  底部傾斜折線
４０，４１  第１折り畳み用傾斜折線
４２，４３  第２折り畳み用傾斜折線
４４，４５  折り畳み用縦折線
４６  第１折り畳み用横折線
４７  第２折り畳み用横折線
４８  口栓
４９  開口部
Ａ，Ｂ，Ｃ，Ｄ  三角形
Ｐ１，Ｐ２，Ｐ３，Ｐ４  頂点
Ｍ  中点
【図１】
2020164182.tif 000003
【図２】
2020164182.tif 000004
【図３】
2020164182.tif 000005